(57)【特許請求の範囲】
【請求項１】
煙道排ガスの測定ガスを分析計に導入する導入ラインに設けられたクーラと、そのクーラで分離されたドレーンを気密状態の安全ポットで受けてドレーンポットへ排出するドレーン分離装置において、
前記安全ポット内の上部でクーラから流出するドレーンをドレーン排出パイプの上端の受け口で受けるとともに、そのドレーン排出パイプの下端が大気に開放されたドレーンポットのドレーンに浸されており、
前記安全ポット内の下部にはドレーン排出パイプとは別に設けられた水封ブレークパイプの上端が配置され、その水封ブレークパイプの下端がドレーンポット内に設けられた水封用内パイプの一定量のドレーンを介して大気に開放されるようになっており、
前記安全ポット内でのドレーン排出パイプの受け口と水封ブレークパイプの上端との距離で決まる安全ポットの容量がドレーンポット内の前記水封用内パイプの一定量よりも大きく設定されていることを特徴とするドレーン分離装置。
【発明の詳細な説明】
【０００１】
【発明の属する技術分野】
本発明は焼却炉等の煙道から燃焼排ガスを測定ガスとして分析計に導入する導入ラインに設けられ、その測定ガス中の水分を除去するためのドレーン分離装置に関するものである。
【０００２】
【従来の技術】
図１に従来のドレーン分離装置の一例を示す。煙道ガスなどの測定ガスは例えば２５０℃程度の飽和湿度の状態にある。そのような測定ガスが、導入パイプ２により、フィルタ５を備え、気密状態にある室温のドレーンセパレータ４へ導かれる。ドレーンセパレータ４では測定ガスの温度が２５０℃程度から室温まで低下することにより結露した水分が除去されるとともに、フィルタ５により固形分も除去される。ドレーンセパレータ４で除去された水分は第１のドレーン排出パイプ６によってドレーンポット８へ排出される。ドレーンポット８では底部から所定の高さに排出口１０が設けられていて、余剰ドレーンは排出される。ドレーンポット８には一定量のドレーン１２が溜められており、ドレーン排出パイプ６の下端はそのドレーン１２中に浸されている。
【０００３】
ドレーンが分離された測定ガスは、ドレーンセパレータ４の上端の５℃程度に保たれたクーラ１４に導かれている。クーラ１４では、冷却により分離されたドレーンが安全ポット１６で受けられ、第２のドレーン排出パイプ１８を経てドレーンポット１２に排出される。安全ポット１６も気密状態に保たれ、ドレーン排出パイプ１８の上端には安全ポット１６の内部の上部でクーラ１４から分離されたドレーンを受ける受け口２０を備え、ドレーン排出パイプ１８の下端はドレーンポット８内に設けられた水封用内筒２２内のドレーンに浸されている。水封用内筒２２のドレーンの量ＣＣ１は安全ポット１６内の下部から受け口２０までの距離で決まる容量ＣＣ２よりも小さく設定されている。
クーラ１４を経た測定ガスの導入路は開閉弁２４を経てポンプ２６で分析計につながっている。
【０００４】
測定ガスはドレーンセパレータ４で室温まで冷されてドレーンが除去された後、クーラ１４で再び冷却されてドレーンが除去された後、分析計へ導かれて分析に供される。ドレーンセパレータ４で除去されたドレーンと、クーラ１４で除去されたドレーンがともにドレーンポット８へ排出される。
【０００５】
このドレーン分離装置では、煙道の負圧が上昇したり、導入パイプ２が詰ったりすることにより、測定ガス導入ラインの負圧が上昇したとき、水封用内筒２２内のドレーンが安全ポット１６へ吸引される。安全ポット１６の容量ＣＣ２が水封用内筒２２のドレーンの量ＣＣ１より大きく設定されていることにより、水封用内筒２２のドレーンがなくなってドレーン排出パイプ１８が大気と導通し、負圧を破る。これにより、分析計へドレーンが混入するのを防いでいる。
【０００６】
【発明が解決しようとする課題】
突変した負圧上昇の場合は、上記のように安全ポット１６が機能し、負圧を破ってドレーンが分析計へ混入するのを防止することができる。しかし、負圧が徐々に上昇した場合には、クーラ１４で除去されたドレーンがドレーン排出パイプ１８内に入り、そのドレーンが水封用内筒２２内のドレーンの量に加算されて安全ポット１６に溜ることになる結果、水封用内筒２２で大気と導通しなくなり、負圧を破ることができなくなる。その結果、ドレーンが安全ポット１６から分析計内部に混入する不都合が生じる。
そこで、本発明は負圧が徐々に上昇した場合でも負圧を破ることができるようにし、ドレーンが分析計へ混入するのを防ぐことを目的とするものである。
【０００７】
【課題を解決するための手段】
本発明は、ラインの測定ガスを分析計に導入する導入ラインに設けられたクーラと、そのクーラで分離されたドレーンを気密状態の安全ポットで受けてドレーンポットへ排出するドレーン分離装置において、ドレーンを安全ポット内で受けてドレーンポットへ排出するドレーン排出パイプは安全ポット内の上部でクーラから流出するドレーンをドレーン排出パイプの上端の受け口で受けるとともに、そのドレーン排出パイプの下端が大気に開放されたドレーンポットのドレーンに浸されており、安全ポット内の下部には新たに設けた水封ブレークパイプの上端が設けられ、その水封ブレークパイプの下端がドレーンポット内に設けられた水封用内パイプの一定量のドレーンを介して大気に開放されており、安全ポット内でのドレーン排出パイプの受け口と水封ブレークパイプの上端との距離で決まる安全ポットの容量がドレーンポット内の水封用内パイプの一定量よりも大きく設定されている。
【０００８】
安全ポットからドレーンポットへのドレーン排出パイプとは別に、水封ブレークパイプを設けたので、測定ガス導入ラインの負圧が徐々に上昇した場合でも、その間にクーラで分離されたドレーンはドレーン排出パイプを経てドレーンポットに排出されるので、水封用内パイプの一定量のドレーンの量に負圧が上昇している期間のドレーンの量が加算されることがない。そのため、水封用内パイプの一定量が安全ポット内に吸引されたときに、測定ガス導入ラインの負圧が破られ、ドレーンが分析計に混入するのを防止することができる。
【０００９】
【実施例】
図２は一実施例を表わす。図１と同一の部分には同一の符号を用いる。
煙道ガスなどの測定ガスは、例えば２５０℃程度の飽和湿度の状態にあり、導入パイプ２により、フィルタ５を備え、気密状態にある室温のドレーンセパレータ４へ導かれる。ドレーンセパレータ４では測定ガスの温度が２５０℃程度から室温まで低下することにより結露した水分が除去されるとともに、フィルタ５により固形分も除去される。ドレーンセパレータ４で除去された水分は第１のドレーン排出パイプ６によってドレーンポット８へ排出される。ドレーンポット８では底部から所定の高さに排出口１０が設けられていて、余剰ドレーンは排出される。ドレーンポット８には一定量のドレーン１２が溜められており、ドレーン排出パイプ６の下端はそのドレーン１２中に浸されている。
【００１０】
ドレーンセパレータ４の上端は５℃程度に保たれたクーラ１４に導かれている。クーラ１４で冷却されて測定ガスから分離されたドレーンが安全ポット１６ａで受けられる。ドレーンを安全ポット１６ａ内で受けてドレーンポット８へ排出する第２のドレーン排出パイプ１８ａは、その上端に安全ポット１６ａ内の上部でクーラ１４から流出するドレーンを受ける受け口２０を備えており、ドレーン排出パイプ１８ａの下端は大気に開放されたドレーンポット１０のドレーン１２に浸されている。
【００１１】
安全ポット１６ａ内の下部には、新たに設けた水封ブレークパイプ３０の上端が設けられ、水封ブレークパイプ３０の下端がドレーンポット８内に設けられた水封用内パイプ２２ａの一定量のドレーンを介して大気に開放される。
【００１２】
安全ポット１６ａ内でのドレーン排出パイプ１８ａの受け口２０と水封ブレークパイプ３０の上端との距離で決まる安全ポットの容量Ｑ２が、ドレーンポット８内の水封用内パイプ２２ａの一定量Ｑ１よりも大きく設定されている。
【００１３】
図２の実施例の動作について説明する。
ドレーンセパレータ４で分離されたドレーンおよびクーラ１４で分離されたドレーンはドレーンポット８に入り、排出口１０から排出される。
ポンプ２６の上流側、すなわち測定ガス導入ラインは負圧状態であり、ドレーン排出パイプ６，１８ａ及び水封ブレークパイプ３０にはその負圧に対応した高さまでドレーンが吸い上げられている。
【００１４】
測定ガス導入ラインの負圧が上昇した場合、水封ブレークパイプ３０から水封用内パイプ２２ａのドレーンが安全ポット１６ａに吸い上げられる。Ｑ１＜Ｑ２に設定されているので、水封用内パイプ２２ａ内の全ドレーンが安全ポット１６ａに吸引されたところで負圧が破られる。その結果、ポンプ２６によってドレーンが分析計へ吸い込まれることは避けられる。
【００１５】
負圧が徐々に上昇しても、その間に発生したクーラ１４でのドレーンは、ドレーン排出パイプ１８ａを経てドレーンポット８へ排出されるので、水封用内パイプ２２ａのドレーンに加算されることはなく、水封用内パイプ２２ａ内の全ドレーンが安全ポット１６ａに吸引されたところで負圧が破られる。これはドレーン排出パイプ１８ａとは別に水封ブレークパイプ３０を設けたためである。
【００１６】
【発明の効果】
本発明では、安全ポットからドレーンポットへのドレーン排出パイプとは別に、下端がドレーンポット内に設けられた水封用内パイプの一定量のドレーンを介して大気に開放される水封ブレークパイプを設け、安全ポットの容量がドレーンポット内の水封用内パイプの一定量よりも大きく設定したので、測定ガス導入ラインの負圧が徐々に上昇した場合でも、その間にクーラで分離されたドレーンはドレーン排出パイプを経てドレーンポットに排出され、水封用内パイプの一定量のドレーンの量に負圧が上昇している期間のドレーンの量が加算されることがなくなり、水封用内パイプの一定量が安全ポット内に吸引されたときに、測定ガス導入ラインの負圧が破られ、ドレーンが分析計に混入するのを防止することができる。
【図面の簡単な説明】
【図１】従来のドレーン分離装置を示す流路図である。
【図２】一実施例のドレーン分離装置を示す流路図である。
【符号の説明】
２      測定ガス導入パイプ
４      ドレーンセパレータ
８      ドレーンポット
１４      クーラ
１６ａ    安全ポット
１８ａ    ドレーン排出パイプ
２０      ドレーン排出パイプの受け口
２２ａ    水封用内パイプ
３０      水封ブレークパイプ
【図１】
0003799672.tif 000002
【図２】
0003799672.tif 000003